(57)【要約】【課題】  シリンダヘッドの燃焼室まわりの高温部分を冷却するウオータジャケットの２本の主冷却水通路を１本の連通水路で接続した場合、連通水路における冷却水の淀みを解消する。【解決手段】  吸気弁孔１４、点火プラグ挿通孔１６，排気弁孔１５の近傍を冷却する一対の冷却水通路２０ａを流れる冷却水の流量が拮抗していると、それらを接続する連通水路２０ｂの冷却水が淀んで冷却に寄与しなくなるが、連通水路２０ｂが一対の冷却水通路２０ａに開口する一方の開口部の近傍において、吸気弁孔１４が形成される壁部１１ｅに前記冷却水通路２０ａの冷却水の流れ方向下流側に向かって突出する突出部１１ｈを設けたので、連通水路２０ｂの両端の開口部における一対の冷却水通路２０ａの冷却水の流れがアンバランスになり、矢印Ａ３で示すように連通水路２０ｂにおける冷却水の淀みが解消して冷却効果が高められる。【選択図】        図８
2010265839.tif 000002
【特許請求の範囲】
【請求項１】
複数の燃焼室（１２）がシリンダ列線（Ｌ１）方向に配列された多気筒エンジンのシリンダヘッド（１１）に、前記燃焼室（１２）を区画する燃焼室上壁（１３）と、前記燃焼室上壁（１３）の近傍を冷却すべく吸排気方向に冷却水を流す冷却水通路（２０ａ）とが設けられ、
前記燃焼室上壁（１３）には、冷却水の流れ方向上流側に位置する上流側弁孔（１４）と、冷却水の流れ方向下流側に位置する下流側弁孔（１５）と、前記両弁孔（１４，１５）に挟まれた位置で点火プラグおよび燃料噴射弁の少なくとも一方が挿通される被冷却部材挿通孔（１６）とが形成され、
前記冷却水通路（２０ａ）は、前記上流側弁孔（１４）が形成される壁部（１１ｅ）と、前記被冷却部材挿通孔（１６）が形成される壁部（１ｆ）と、前記下流側弁孔（１５）が形成される壁部（１１ｇ）とを通過して吸排気方向に延び、前記上流側弁孔（１４）が形成される壁部（１１ｅ）と、前記被冷却部材挿通孔（１６）が形成される壁部（１１ｆ）との間には、シリンダ列線（Ｌ１）方向に隣接する一対の前記冷却水通路（２０ａ）を接続するように連通水路（２０ｂ）が形成されるシリンダヘッドのウオータジャケット構造であって、
前記連通水路（２０ｂ）が一対の前記冷却水通路（２０ａ）に開口する一方の開口部の近傍において、前記上流側弁孔（１４）が形成される壁部（１１ｅ）に前記冷却水通路（２０ａ）の冷却水の流れ方向下流側に向かって突出する突出部（１１ｈ）を設けたことを特徴とするシリンダヘッドのウオータジャケット構造。
【請求項２】
前記一対の冷却水通路（２０ａ）のうちの冷却水の流速が低い側の前記壁部（１１ｅ）に前記突出部（１１ｈ）を設けたことを特徴とする、請求項１に記載のシリンダヘッドのウオータジャケット構造。
【発明の詳細な説明】
【技術分野】
【０００１】
本発明は、多気筒エンジンのシリンダヘッドの内部に複数の燃焼室の周囲を冷却する冷却水通路を形成したシリンダヘッドのウオータジャケット構造に関する。
【背景技術】
【０００２】
エンジンのシリンダヘッドの燃焼室の上壁に、２個の排気弁の周囲を囲む一対のウオータジャケットと、１個の点火プラグの周囲を囲むウオータジャケットとが形成され、排気弁の周囲を囲む一対のウオータジャケットと点火プラグの周囲を囲むウオータジャケットとが接続されているものが、下記特許文献１により公知である。
【先行技術文献】
【特許文献】
【０００３】
【特許文献１】特表２００７−５３０８５１号公報
【発明の概要】
【発明が解決しようとする課題】
【０００４】
ところでシリンダヘッドの燃焼室まわりの高温部分を冷却するウオータジャケットが、冷却水が同方向に流れる２本の主冷却水通路と、これらの主冷却水通路を相互に連通させる１本の連通水路とを含む場合、２本の主冷却水通路および１本の連通水路の形状が中心線を挟んで左右対称形状であり、かつ２本の主冷却水通路を流れる冷却水の流量が同一であると、連通水路が主冷却水通路に連通する開口部の圧力が拮抗してしまい、連通水路の冷却水が淀んでしまってスムーズに流れなくなり、連通水路が燃焼室まわりの高温部分の冷却に充分に寄与しないという問題がある。
【０００５】
本発明は前述の事情に鑑みてなされたもので、シリンダヘッドの燃焼室まわりの高温部分を冷却するウオータジャケットの２本の主冷却水通路を１本の連通水路で接続した場合、連通水路における冷却水の淀みを解消することを目的とする。
【課題を解決するための手段】
【０００６】
上記目的を達成するために、請求項１に記載された発明によれば、複数の燃焼室がシリンダ列線方向に配列された多気筒エンジンのシリンダヘッドに、前記燃焼室を区画する燃焼室上壁と、前記燃焼室上壁の近傍を冷却すべく吸排気方向に冷却水を流す冷却水通路とが設けられ、前記燃焼室上壁には、冷却水の流れ方向上流側に位置する上流側弁孔と、冷却水の流れ方向下流側に位置する下流側弁孔と、前記両弁孔に挟まれた位置で点火プラグおよび燃料噴射弁の少なくとも一方が挿通される被冷却部材挿通孔とが形成され、前記冷却水通路は、前記上流側弁孔が形成される壁部と、前記被冷却部材挿通孔が形成される壁部と、前記下流側弁孔が形成される壁部とを通過して吸排気方向に延び、前記上流側弁孔が形成される壁部と、前記被冷却部材挿通孔が形成される壁部との間には、シリンダ列線方向に隣接する一対の前記冷却水通路を接続するように連通水路が形成されるシリンダヘッドのウオータジャケット構造であって、前記連通水路が一対の前記冷却水通路に開口する一方の開口部の近傍において、前記上流側弁孔が形成される壁部に前記冷却水通路の冷却水の流れ方向下流側に向かって突出する突出部を設けたことを特徴とするシリンダヘッドのウオータジャケット構造が提案される。
【０００７】
また請求項２に記載された発明によれば、請求項１の構成に加えて、前記一対の冷却水通路のうちの冷却水の流速が低い側の前記壁部に前記突出部を設けたことを特徴とするシリンダヘッドのウオータジャケット構造が提案される。
【０００８】
尚、実施の形態の吸気弁孔１４は本発明の上流側弁孔に対応し、実施の形態の排気弁孔１５は本発明の下流側弁孔に対応し、実施の形態の点火プラグ挿通孔１６は本発明の被冷却部材挿通孔に対応し、実施の形態の主冷却水通路２０ａは本発明の冷却水通路に対応する。
【発明の効果】
【０００９】
請求項１の構成によれば、多気筒エンジンのシリンダヘッドの燃焼室上壁に、吸排気方向に冷却水を流す冷却水通路と、上流側弁孔と、下流側弁孔と、被冷却部材挿通孔とを形成し、冷却水通路は上流側弁孔、被冷却部材挿通孔および下流側弁孔が形成される壁部を通過して吸排気方向に延び、上流側弁孔が形成される壁部と被冷却部材挿通孔が形成される壁部との間に、シリンダ列線方向に隣接する一対の冷却水通路を接続するように連通水路を形成したので、一対の冷却水通路を流れる冷却水で上流側弁孔、被冷却部材挿通孔および下流側弁孔が形成される壁部を冷却することができ、しかも連通水路を流れる冷却水で上流側弁孔および被冷却部材挿通孔が形成される壁部を冷却することができる。このとき、一対の冷却水通路を流れる冷却水の流量が拮抗していると、それらを接続する連通水路の冷却水が淀んで冷却に寄与しなくなるが、連通水路が一対の冷却水通路に開口する一方の開口部の近傍において、上流側弁孔が形成される壁部に冷却水通路の冷却水の流れ方向下流側に向かって突出する突出部を設けたので、連通水路の両端の開口部における一対の冷却水通路の冷却水の流れがアンバランスになり、連通水路における冷却水の淀みが解消して冷却効果が高められる。
【００１０】
また請求項２の構成によれば、一対の冷却水通路のうちの冷却水の流速が低い側の壁部に突出部を設けたので、冷却水の流速が低い側の冷却水通路の通路断面積を壁部の突出部により狭めて流速を増加させることで、一対の冷却水通路の冷却水の流速を均一化して燃焼室上壁を効果的に冷却することができる。
【図面の簡単な説明】
【００１１】
【図１】直列四気筒エンジンのシリンダヘッドのシリンダ軸線に直交する方向の断面図。
【図２】図１の２−２線拡大断面図。
【図３】図２の３−３線断面図。
【図４】図２の４−４線断面図。
【図５】図２の５方向矢視図。
【図６】シリンダヘッドのウオータジャケットを成形する中子の上面図。
【図７】シリンダヘッドのウオータジャケットを成形する中子の下面図。
【図８】図６の８部拡大図。
【発明を実施するための形態】
【００１２】
以下、図１〜図８に基づいて本発明の実施の形態を説明する。
【００１３】
図１は直列四気筒エンジンのシリンダヘッド１１を、シリンダブロックとの結合面と平行な平面で切断した断面を上方（ヘッドカバー側）から見た図であり、紙面の下側が吸気側であり、紙面の上側が排気側である。シリンダヘッド１１の下面（紙面の裏側）にはシリンダ列線Ｌ１に沿って４個の燃焼室１２…が配置されており、断面で示される燃焼室上壁１３…には２個の吸気弁孔１４，１４と、２個の排気弁孔１５，１５と、それらに囲まれた点火プラグ挿通孔１６とが形成される。
【００１４】
シリンダヘッド１１の内部には、吸気側側壁１１ａ、タイミングチェーン室側側壁１１ｂ、排気側側壁１１ｃおよびトランスミッション側側壁１１ｄにより囲まれたウオータジャケットＪが白地で示される。図６および図７はシリンダヘッド１１を鋳造する際に使用する中子１７の形状を示すもので、この中子１７の形状はウオータジャケットＪの形状と同一である。以下、図１、図６および図７に基づいてウオータジャケットＪの構造を説明する。
【００１５】
ウオータジャケットＪは、シリンダヘッド１１の吸気側側壁１１ａに沿う吸気側ギャラリ１８と、シリンダヘッド１１の排気側側壁１１ｃに沿う排気側ギャラリ１９と、吸気側ギャラリ１８および排気側ギャラリ１９を接続する３個の通路拡張部２０…とを備える。３個の通路拡張部２０…はシリンダ列線Ｌ１上であって、４個の燃焼室１２…に挟まれる位置に配置される。シリンダヘッド１１の低い位置にある吸気側ギャラリ１８および排気側ギャラリ１９は図１に実線で示されているが、３個の通路拡張部２０…は吸気側ギャラリ１８および排気側ギャラリ１９よりも高い位置にあるために図１に想像線で示されている。
【００１６】
吸気側ギャラリ１８の下面には、シリンダブロックに設けた冷却水ポンプから冷却水が供給される冷却水入口１８ａが設けられており、４本のシリンダ軸線Ｌ２…から吸気側にずれた４個のａ位置…に向かって冷却水入口１８ａから４本の第１冷却水通路１８ｂ…が延びている。４個のａ位置…からは、各２本の第２冷却水通路１８ｃ…がシリンダ列線Ｌ１に向かって延びており、相互に集合する３対６本の第２冷却水通路１８ｃ…は、４個の燃焼室１２…の間の３個のｂ位置…で３個の通路拡張部２０…に連通する。
【００１７】
計８本の第２冷却水通路１８ｃ…には、シリンダブロック側のウオータジャケットに連通する連通孔１８ｄ…がそれぞれ形成されており、吸気側ギャラリ１８を流れる冷却水の一部は連通孔１８ｄ…を通過してシリンダブロック側のウオータジャケットに分配される。また排気側ギャラリ１９には、４本のシリンダ軸線Ｌ２…から排気側にずれた位置に４個の連通孔１９ａ…がそれぞれ形成されており、排気側ギャラリ１９を流れる冷却水の一部は連通孔１９ａ…を通過してシリンダブロック側のウオータジャケットに分配される。排気側ギャラリ１９のトランスミッション側側壁１１ｄに近い位置に２個の冷却水出口１９ｂ，１９ｂが形成されており、ウオータジャケットＪを最後まで流れた冷却水は冷却水出口１９ｂ，１９ｂを通過してシリンダブロック側のウオータジャケットに戻される。
【００１８】
次に、図６〜図８に基づいて通路拡張部２０の構造を説明する。                          
【００１９】
シリンダ列線Ｌ１上において４個の燃焼室１２…に挟まれた位置にある３個の通路拡張部２０…は実質的に同一構造を有するため、以下、その一つの通路拡張部２０について説明する。
【００２０】
通路拡張部２０は吸気側ギャラリ１８と排気側ギャラリ１９とを連通させるものであり、その中央部にリブ２１を上下方向に形成することで、冷却水を左右方向（通路拡張部２０を挟む二つの燃焼室１２，１２の方向）に分流させるための二つの主冷却水通路２０ａ，２０ａが形成される。従って、通路拡張部２０を流れる冷却水は、吸気側のｂ位置においてリブ２１を迂回する二つの主冷却水通路２０ａ，２０ａに分岐した後、排気側のｃ位置において再び合流して排気側ギャラリ１９に流入する。
【００２１】
即ち、図８から明らかなように、ｂ位置において通路拡張部２０に流入した冷却水がリブ２１に阻止されて左右の主冷却水通路２０ａ，２０ａに分岐し、吸気弁孔１４，１４が形成された壁部１１ｅ，１１ｅと、点火プラグ挿通孔１６が形成された壁部１１ｆと、排気弁孔１５，１５が形成された壁部１１ｇ，１１ｇとを冷却した後、排気側のｃ位置において再び合流して排気側ギャラリ１９に流入する。
【００２２】
シリンダ列線Ｌ１方向に隣り合う二つの通路拡張部２０，２０の相互に対向する二つの主冷却水通路２０ａ，２０ａが、吸気弁孔１４，１４が形成された壁部１１ｅ，１１ｅと、点火プラグ挿通孔１１ｆが形成された壁部１１ｆとの間に配置された連通水路２０ｂで接続されており、この連通水路２０ｂを流れる冷却水で吸気弁孔１４，１４の壁部１１ｅ，１１ｅおよび点火プラグ挿通孔１６の壁部１１ｆを更に冷却する。
【００２３】
図８において、左側の通路拡張部２０の主冷却水通路２０ａを流れる冷却水（矢印Ａ１参照）の流量と、右側の通路拡張部２０の主冷却水通路２０ａを流れる冷却水（矢印Ａ２参照）の流量とが拮抗していると、両主冷却水通路２０ａ，２０ａを連通させる連通水路２０ｂに冷却水が滞留してしまい、この連通水路２０ｂが臨む吸気弁孔１４，１４の壁部１１ｅ，１１ｅおよび点火プラグ挿通孔１６の壁部１１ｆの冷却効果が低下する問題がある。
【００２４】
この問題を解決すべく、本実施の形態では、連通水路２０ｂの両端開口部に臨む左右の吸気弁孔１４，１４の壁部１１ｅ，１１ｅの何れか一方（実施の形態では図８の右側の吸気弁孔１４の壁部１１ｅ）に、吸気側から排気側に向かって突出する突出部１１ｈが形成される。
【００２５】
この突出部１１ｈを形成したことにより、図中右側の主冷却水通路２０ａを流れる冷却水（矢印Ａ２参照）が排気側を指向するようになって連通水路２０ｂの右端開口部に流入し難くなるのに対し、図中左側の主冷却水通路２０ａを流れる冷却水（矢印Ａ１参照）は突出部１１ｈが存在しないために連通水路２０ｂの左端開口部に流入し易くなり、そのバランスの崩れによって連通水路２０ｂに矢印Ａ３で示す左から右に向かう冷却水の流れを発生させ、吸気弁孔１４，１４の壁部１１ｅ，１１ｅおよび点火プラグ挿通孔１６の壁部１１ｆの冷却効果を高めることができる。
【００２６】
尚、突出部１１ｈを設ける側は、左右の主冷却水通路２０ａ，２０ａのうち、その冷却水の流速が低い側に設けることが望ましい。その理由は、突出部１１ｈを設けることで主冷却水通路２０ａが絞られて流速が増加するため、左右の主冷却水通路２０ａ，２０ａを流れる冷却水の流速を均一化して冷却効果を均一化することができるからである。
【００２７】
次に、図２〜図５および図８に基づいて通路拡張部２０の中央に設けられたリブ２１の構造を説明する。
【００２８】
通路拡張部２０の中央に立設されるリブ２１は概略円柱状に形成されており、そこをシリンダ列線Ｌ１方向に形成された貫通水路２０ｃの両端が、左右の主冷却水通路２０ａ，２０ａに開口する。また貫通水路２０ｃの中央部から排気側に向かって分岐水路２０ｄが延びており、その出口端が排気側ギャラリ１９のｃ点に開口する。貫通水路２０ｃおよび分岐水路２０ｄは水平断面において略Ｔ字状に形成されており（図４および図８参照）、前記水平断面においてリブ２１を一つの半円状の部分と二つの扇形の部分とに分離する。従って、左右の主冷却水通路２０ａ，２０ａを流れる冷却水の一部は貫通水路２０ｃの両端から流入して中央部に向かって流れ、そこから分岐水路２０ｄに流入して排気側ギャラリ１９に流出する。
【００２９】
リブ２１の上半部には、貫通水路２０ｃおよび分岐水路２０ｄの交差部から上方に延び、シリンダヘッド１１の上面へと貫通するピン孔２１ａが形成される。このピン孔２１ａの底部、つまり貫通水路２０ｃおよび分岐水路２０ｄの交差部の上側がキャップ２２の圧入により閉塞されており、ピン孔２１ａから冷却水が漏れることが防止される。
【００３０】
シリンダヘッド１１を鋳造するとき、ウオータジャケットＪを形成するための中子１７（図６および図７参照）は金型のキャビティ内に複数の中子ピンを介して支持されるが、そのうちの３本の中子ピン２３…（図２および図５参照）の下端がリブ２１の中央部に、より具体的には中子１７の貫通水路２０ｃおよび分岐水路２０ｄの交差部を成形する部分に当接することで、中子１７を金型内に保持するようになっている。
【００３１】
尚、図３および図４において、符号２４…は吸気弁孔１４…に連なる吸気ポートであり、符号２５…は排気弁孔１５…に連なる排気ポートである。
【００３２】
このように、リブ２１の中央部に中子ピン２３を挿入してピン孔２１ａを形成するので、そのピン孔２１ａの分だけリブ２１の駄肉を減らしてシリンダヘッド１１の重量を軽減することができる。またリブ２１の位置を避けて中子ピン２３を配置しようとする、その配置スペースを確保するのが困難になったり、中子ピン２３を適切な位置に配置できなくなって中子１７を強固に支持できなくなったりするが、本実施の形態によれば上記問題を解決することができる。
【００３３】
またリブ２１の内部に貫通水路２０ｃおよび分岐水路２０ｄを形成したことにより、リブ２１の駄肉を減らしてシリンダヘッド１１の重量を更に軽減することができ、しかもリブ２１の冷却を効果的に行うことができる。
【００３４】
以上、本発明の実施の形態を説明したが、本発明はその要旨を逸脱しない範囲で種々の設計変更を行うことが可能である。
【００３５】
例えば、実施の形態のウオータジャケットＪはシリンダヘッド１１の吸気側から排気側に冷却水を流しているが、排気側から吸気側に冷却水を流すものであっても良い。
【００３６】
また本発明の被冷却部材挿通孔に挿通される被冷却部材は点火プラグであるが、被冷却部材は燃料噴射弁であっても良い。
【００３７】
また実施の形態では４個の連通水路２０ｂ…のうちの３個の連通水路２０ｂ…に突出部１１ｈ…が設けられているが（図６および図７参照）、少なくとも１個の連通水路２０ｂに突出部１１ｈが設けられていれば良い。
【符号の説明】
【００３８】
１１        シリンダヘッド
１１ｅ      上流側弁孔が形成される壁部
１１ｆ      被冷却部材挿通孔が形成される壁部
１１ｇ      下流側弁孔が形成される壁部
１１ｈ      突出部
１２        燃焼室
１３        燃焼室上壁
１４        吸気弁孔（上流側弁孔）
１５        排気弁孔（下流側弁孔）
１６        点火プラグ挿通孔（被冷却部材挿通孔）
２０ａ      主冷却水通路（冷却水通路）
２０ｂ      連通水路
Ｌ１        シリンダ列線
【図１】
2010265839.tif 000003
【図２】
2010265839.tif 000004
【図３】
2010265839.tif 000005
【図４】
2010265839.tif 000006
【図５】
2010265839.tif 000007
【図６】
2010265839.tif 000008
【図７】
2010265839.tif 000009
【図８】
2010265839.tif 000010